(57)【要約】【課題】  遊技機本体への電力供給と周辺機器への電力供給とを独立して行うこと等を可能とした遊技機島用電源装置を提供する。【解決手段】  パチンコホール用電源システムは、リモコンブレーカ１や通常ブレーカ２が実装された電源盤３と、電源盤３に交流電力を供給する商用電源４と、集中管理室等でリモコンブレーカ１の開閉操作を行うためのコントロールスイッチ５と、リモコンブレーカ１からの電力をＡＣ２４Ｖに降圧してパチンコ機６に供給するトランス７等から構成されている。通常ブレーカ２は、ＡＣ１００Ｖ等の電力を照明１１やカード式玉貸し機１２、呼び出しランプ１３、玉磨き揚送装置１４等の周辺機器に供給する。開店時刻になると、集中管理室の係員は、コントロールスイッチ５を操作してリモコンブレーカ１をＯＮにする。これにより、各遊技機島１５のパチンコ機６に電力が供給され、客が遊技を開始することができるようになる。【選択図】      図１
2008000235.tif 000002
【特許請求の範囲】
【請求項１】
複数の遊技機本体と周辺機器とが設置される遊技機島に電力を供給する電源装置であって、前記遊技機本体への電源回路を開閉する遊技機側回路遮断器と、前記周辺機器への電源回路を開閉する周辺機器側回路遮断器とを備え、前記遊技機側回路遮断器が前記遊技機島の外部に設けられた遠隔操作手段によって遠隔操作されることを特徴とする遊技機島用電源装置。
【請求項２】
前記遠隔操作手段がホールコンピュータであることを特徴とする請求項１に記載の遊技機島用電源装置。
【発明の詳細な説明】
【技術分野】
【０００１】
本発明は、遊技機設備への電力供給に用いられる遊技機島用電源装置に係り、詳しくは、遊技機本体への電力供給と周辺機器への電力供給とを独立して行うこと等を可能とする技術に関する。
【背景技術】
【０００２】
一般に、パチンコ機やパチスロ機等の遊技機（以下、パチンコ機で代表させる）は、パチンコ店やパチスロ店等の遊技施設（以下、パチンコホールで代表させる）内の遊技機島に設置されている。遊技機島は、パチンコホールの壁面やフロアに直線状に複数配置されており、その片面（壁面配置の場合）または両面（フロア配置の場合）に複数台（通常、１０〜２０台程度）のパチンコ機がそれぞれ所定の間隔をもって取り付けられている。遊技機島には、パチンコ機の他、蛍光灯等の照明や、カード式玉貸し機、呼び出しランプ、玉磨き揚送装置等、種々の周辺機器が設置されるとともに、パチンコ機やこれら周辺機器に電力を供給する電源装置が内装されている（特許文献１，２参照）。
【０００３】
電源装置は、パチンコ機や呼び出しランプ用の電力（ＡＣ２４Ｖ）や、照明やカード式玉貸し機用の電力（ＡＣ１００Ｖ）、中継基盤用の電力（ＤＣ２４Ｖ）等、各機器に対応した複数種の電力の供給を行うべく、降圧トランスや制御回路等から構成されている。また、電源装置は、パチンコホールの開店時や閉店時にパチンコ機を起動／停止させるべく、遊技機島あるいは集中管理室に設置されたブレーカによってＯＮ／ＯＦＦされる。
【特許文献１】特開２００４−１３５７１９号公報
【特許文献２】特開２００２−３３６４３６号公報
【発明の開示】
【発明が解決しようとする課題】
【０００４】
通常、パチンコホールは条例等によって定められた時刻に開店するが、開店時刻が迫るとパチンコホール周辺の道路に客が並んでしまい、歩行者の通行が妨げられる等の苦情が寄せられることがあった。特に、新装開店の場合等には、開店待ちの客の列が非常に長くなるため、近隣の商店や飲食店の営業を妨害することや、煙草の吸い殻等が道路に捨てられる等の問題が無視できなくなる。そこで、近年では、開店時刻より前に客をホール内に入場させてパチンコ機の前に座らせ、開店時刻に電源装置をＯＮにして遊技を始めさせる試みが一部になされている。ところが、従来の電源装置では、ブレーカによって各種電力が同時にＯＮ／ＯＦＦされるため、客は遊技機島の照明が消えた暗いホール内で開店時刻を待つことになり、サービスの観点から改善が望まれていた。また、新台入替時等には一部の遊技機島のみ稼働時間を短縮することがあるが、この場合には、その遊技機島の電源装置をＯＦＦにするとホール内が部分的に暗くなる一方、電源装置をＯＮにすると客がその遊技機島のパチンコ機で遊技を始めてしまう等の問題もあった。
【０００５】
本発明は、このような背景に鑑みなされたものであり、遊技機本体への電力供給と周辺機器への電力供給とを独立して行うこと等を可能とした遊技機島用電源装置を提供することを目的とする。
【課題を解決するための手段】
【０００６】
請求項１の発明に係る遊技機島用電源装置は、複数の遊技機本体と周辺機器とが設置される遊技機島に電力を供給する電源装置であって、前記遊技機本体への電源回路を開閉する遊技機側回路遮断器と、前記周辺機器への電源回路を開閉する周辺機器側回路遮断器と
を備え、前記遊技機側回路遮断器が前記遊技機島の外部に設けられた遠隔操作手段によって遠隔操作されることを特徴とする。
【０００７】
また、請求項２の発明に係る遊技機島用電源装置は、請求項１に記載の遊技機島用電源装置において、前記遠隔操作手段がホールコンピュータであることを特徴とする。
【発明の効果】
【０００８】
請求項１の発明では、開店時刻になるまでは周辺機器のみに電力を供給し、開店時刻に遊技機本体に電力を供給することで、入場した客が明るいホール内で開店時刻を待つことができるようになる。また、遊技機本体の電源が遠隔操作手段によってＯＮ／ＯＦＦできるため、各遊技機島に設置されたブレーカをホール員が操作する必要が無くなる。また、新台入替時等には一部の遊技機島の遊技機本体への電力供給を停止することでホール内を暗くすることなく、その遊技機島の稼働時間を短縮させることができるようになる。一方、請求項２の発明では、ホールコンピュータに開店時刻や閉店時刻をインプットしておくことで、遊技機側回路遮断器を自動的にＯＮあるいはＯＦＦにすることができ、開閉操作の遅れや煩わしさが無くなる。
【発明を実施するための最良の形態】
【０００９】
以下、図面を参照して、本発明を適用したパチンコホール用電源システムの一実施形態および一部変形例を詳細に説明する。
【００１０】
≪実施形態≫
図１は実施形態に係るパチンコホール用電源システムの概念図であり、図２は実施形態に係る電源盤の構成を示すブロック図である。
なお、本実施形態では、図や説明が煩雑になることを防ぐために１つの遊技機島に関してのみ言及するが、他の遊技機島も同様の構成となっている。
【００１１】
［実施形態の構成］
図１に示すように、実施形態のパチンコホール用電源システムは、リモコンブレーカ（遊技機側回路遮断器）１や通常ブレーカ（周辺機器側回路遮断器）２が実装された電源盤（遊技機島用電源装置）３と、電源盤３に交流電力（３相２００Ｖや単相１００Ｖ）を供給する商用電源４と、集中管理室等でリモコンブレーカ１の開閉操作を行うためのコントロールスイッチ（遠隔操作手段）５と、リモコンブレーカ１からの電力をＡＣ２４Ｖに降圧してパチンコ機（遊技機本体）６に供給するトランス７等から構成されている。
【００１２】
本実施形態の通常ブレーカ２は、ＡＣ１００Ｖ（あるいは、図示しないトランスで変圧したＡＣ２４ＶやＤＣ２４Ｖ）の電力を照明１１やカード式玉貸し機１２、呼び出しランプ１３、玉磨き揚送装置１４等の周辺機器に供給する。上述した各機器のうち、商用電源４とコントロールスイッチ５とを除いたものが遊技機島１５に設置されている。なお、コントロールスイッチ５は、各遊技機島１５ごとに設けてもよいし、各リモコンブレーカ１ごとに設けてもよいし、全遊技機島１５の電源盤３（リモコンブレーカ１）を１つで操作できるようにしてもよい。
【００１３】
図２に示すように、電源盤３は、４個のリモコンブレーカ１、８個の通常ブレーカ２、ＡＣ１００Ｖをリモコンブレーカ１の操作電圧（ＡＣ２４Ｖ）に降圧するリモコントランス１６等を備えている。本実施形態の遊技機島１５には、２０台のパチンコ機６が設置されており、各リモコンブレーカ１から出力された電力が前述したトランス７を介してそれぞれ５台のパチンコ機６に供給される。
【００１４】
［実施形態の作用］
パチンコホールでは、例えば開店時刻の１０分前に通常ブレーカ２をＯＮにした後にドアを開け、客をホール内に入場させてパチンコ機の前に座らせる。この時点では、リモコンブレーカ１はＯＦＦとなっているために客はパチンコ機６で遊戯することができないが、照明１１やカード式玉貸し機１２には電力が供給されており、明るいホール内でパチンコ玉を借りて遊技の準備をすることができる。そして、開店時刻になると、集中管理室の係員は、コントロールスイッチ５を操作してリモコンブレーカ１をＯＮにする。これにより、各遊技機島１５のパチンコ機６にも電力が供給され、客が遊技を開始することができるようになる。なお、コントロールスイッチ５が各遊技機島１５ごとに設けられていれば、新台入替時等に一部の遊技機島１５のリモコンブレーカ１をＯＮにせず、稼働時間を遅らせることができる。
【００１５】
≪一部変形例≫
図３は一部変形例に係るパチンコホール用電源システムの概念図である。
一部変形例は、ホールコンピュータ（遠隔操作手段）２１によってリモコンブレーカ１を遠隔操作するもので、その他の構成は上述した実施形態と同様である。一部変形例では、ホールコンピュータ２１に開店時刻や閉店時刻をインプットしておくことで、リモコンブレーカ１のＯＮ／ＯＦＦを自動的に行わせることができ、開閉操作の遅れや煩わしさが無くなる。
【００１６】
以上で具体的実施形態の説明を終えるが、本発明の態様はこの実施形態に限られるものではない。例えば、上記実施形態はパチンコホール用電源システムに本発明を適用したものであるが、パチスロホール等、他の遊技施設の電源装置に本発明を適用してもよい。また、上記実施形態ではリモコンブレーカによってパチンコ機の電源を全てＯＮ／ＯＦＦするようにしたが、例えば、パチンコ機の打ち出し機構の電源のみをＯＮ／ＯＦＦし、液晶画面等を通常ブレーカによって駆動するようにしてもよい。また、上記実施形態ではコントロールスイッチによって各遊技機島の電源をＯＮ／ＯＦＦし、上記一部変形例ではホールコンピュータによって各遊技機島の電源をＯＮ／ＯＦＦするものとしたが、各遊技機島の電源をコントロールスイッチによって個別に電源をＯＮ／ＯＦＦするとともに、全遊技機島の電源をホールコンピュータによって一括してＯＮ／ＯＦＦする構成としてもよい。その他、電源システムや電源盤の具体的構成等についても、本発明の主旨を逸脱しない範囲であれば適宜変更可能である。
【図面の簡単な説明】
【００１７】
【図１】実施形態に係るパチンコホール用電源システムの概念図である。
【図２】実施形態に係る電源盤の構成を示すブロック図である。
【図３】一部変形例に係る電源盤の構成を示すブロック図である。
【符号の説明】
【００１８】
１      リモコンブレーカ（遊技機側回路遮断器）
２      通常ブレーカ（周辺機器側回路遮断器）
３      電源盤（遊技機島用電源装置）
４      商用電源
５      コントロールスイッチ（遠隔操作手段）
６      パチンコ機（遊技機本体）
７      トランス
１１    照明（周辺機器）
１２    カード式玉貸し機（周辺機器）
１３    呼び出しランプ（周辺機器）
１４    玉磨き揚送装置（周辺機器）
１５    遊技機島
１６    リモコントランス
２１    ホールコンピュータ（遠隔操作手段）
【図１】
2008000235.tif 000003
【図２】
2008000235.tif 000004
【図３】
2008000235.tif 000005